(57)【要約】【課題】光学ピックアップや半導体レーザのフィード機構を不要とすることができると共に対物レンズの姿勢に無理がかかることを抑制でき、光学ピックアップや半導体レーザを安定に検査できる光学ディスクおよびそれを用いた検査方法と検査装置を提供する。【解決手段】この光学ディスク１によれば、記録面２に同心円トラック３と、この同心円トラック３に一端５Ａ,６Ａが結合しているスパイラルトラック５,６とを備えた。これにより、最初にトラッキングサーボをかける箇所(レーザースポットを照射する箇所)が記録面２のスパイラルトラック５,６であっても、光学ディスク１を反時計回りに回転させてレーザースポットがトラック５,６をトレースしていくと同心円トラック３にたどり着く。よって、この同心円トラック３で安定して長時間のサーボ特性の検査が可能となる。【選択図】図１
2009123313.tif 000002
【特許請求の範囲】
【請求項１】
記録面に形成された同心円トラックと、
上記記録面に形成されていると共にスパイラル状に延在しているスパイラルトラックを備え、
上記スパイラルトラックは、上記同心円トラックの径方向内方または径方向外方の少なくとも一方に形成されていて一端が上記同心円トラックに結合していることを特徴とする光学ディスク。
【請求項２】
請求項１に記載の光学ディスクにおいて、
上記記録面に形成され、かつ、上記同心円トラックの径方向内方に形成されていて、径方向内方から径方向外方へ向かって第１の巻き方向にスパイラル状に延在していると共に径方向外方の端が上記同心円トラックに結合している第１のスパイラルトラックと、
上記記録面に形成され、かつ、上記同心円トラックの径方向外方に形成されていて、径方向内方から径方向外方へ向かって上記第１の巻き方向とは逆の第２の巻き方向にスパイラル状に延在していると共に径方向内方の端が上記同心円トラックに結合している第２のスパイラルトラックとを備えたことを特徴とする光学ディスク。
【請求項３】
請求項１または２に記載の光学ディスクにおいて、
上記スパイラルトラックと上記同心円トラックとの結合領域では、上記スパイラルトラックのピットが形成されていないことを特徴とする光学ディスク。
【請求項４】
請求項１から３のいずれか１つに記載の光学ディスクにおいて、
複数の同心円トラックを有することを特徴とする光学ディスク。
【請求項５】
請求項４に記載の光学ディスクにおいて、
上記複数の同心円トラックは、互いに異なる固有のピット情報を有していることを特徴とする光学ディスク。
【請求項６】
請求項２に記載の光学ディスクにおいて、
上記第１のスパイラルトラックと同心円トラックと第２のスパイラルトラックとがなすトラックの組を複数組備えることを特徴とする光学ディスク。
【請求項７】
請求項５に記載の光学ディスクを使用して、上記複数の同心円トラックのうちのトラックサーボがかかっている同心円トラックを判別することを特徴とする検査方法。
【請求項８】
請求項１から６のいずれか１つに記載の光学ディスクを用いて、光学ピックアップまたは半導体レーザを検査する検査装置。
【発明の詳細な説明】
【技術分野】
【０００１】
この発明は、光学ピックアップや半導体レーザのサーボ特性をトラックサーボをかけて検査する際に使用される光ディスクおよびそれを用いた検査方法と検査装置に関する。
【背景技術】
【０００２】
従来、光学ディスク１００としては、図６に示すように、信号が記録されているトラック１０１は記録面１０２からみて内側から外側に向かって時計回りのスパイラル状となっている。光学ディスク１００のトラック１０１に記録された信号を読み取るため、光学ディスク１００を回転させると共にレーザースポットをトラック１０１のピットの上に照射する。
【０００３】
例えば、特許文献１(特開平５−１６６２３０号公報)では、図６に示す時計回りの順スパイラル状トラック１０１とは逆方向の逆スパイラル状トラックを、記録面１０２の最外周部のみに形成し、この逆スパイラル状トラックよりも径方向内方では順スパイラル状トラックを形成した光記録媒体が開示されている。この光記録媒体では、上記逆スパイラル状トラックが最外周部に存在することによって、オーバーラン状態になった光学ピックアップが順スパイラル状トラックに戻るようにして、ヘッドクラッシュを防ぐようにしている。
【０００４】
ここで、上記レーザースポットがトラック１０１のピット上に保持された状態とするには、時間が経つにつれて上記レーザースポットを径方向外方に移動させて、上記レーザースポットがスパイラル状のトラック１０１をトレースするようにしなければならない。このため、光学ピックアップ全体をフィード機構(フィードモータ)により径方向外方にスライドさせるか、レーザーを集光させる対物レンズの姿勢を制御する必要がある。
【０００５】
ところで、光学ピックアップを検査する検査装置に、光学ピックアップ全体をスライドさせるフィード機構を取り付ける場合、この検査装置全体の機構や制御が複雑となる。これにより、光学ピックアップの必要とする性能以外にサーボ特性に及ぼす影響が大きくなる。したがって、フィード機構を検査装置に取り付けることは、光学ピックアップや半導体レーザの検査装置としては適さない。
【０００６】
一方、検査装置にフィード機構を取り付けない場合は、検査の間中、対物レンズの姿勢を制御し続けなければならないので、トラックサーボを長時間にわたってかけ続けた場合に対物レンズの姿勢に無理がかかる。このため、サーボ特性の測定結果が変化してしまい、長時間の検査には適さない。
【０００７】
そこで、スパイラル状トラックを有する検査用光学ディスクを使用する場合の一例として、レーザスポットが光学ディスクを一周するとレーザスポットを径方向の隣のトラックに移らせるトラックジャンプ制御方法も提案されているが、このトラックジャンプ制御方法は、トラックジャンプの直後は測定結果が不安定になり、検査全体を通して安定した測定結果を得ることができない。
【０００８】
また、検査用光学ディスク上のトラックをすべて同心円とした場合には、トラックジャンプを必要とせず、トラックサーボへの影響も発生しないため、安定して光学ピックアップおよび半導体レーザのサーボ特性を検査することができる。
【０００９】
しかし、この光学ディスク上のトラックがすべて同心円である場合には、最初にトラックサーボをかける際に複数のトラックのうちのどのトラックにサーボが掛かっているのかを判断できない。このために、得られた検査結果(サーボ特性)が、光学ピックアップ(半導体レーザ)の固有の特性であるか、サーボが掛かっているトラックに起因する特性であるのかを判断ができない場合がある。
【特許文献１】特開平５−１６６２３０号公報
【発明の開示】
【発明が解決しようとする課題】
【００１０】
そこで、この発明の課題は、光学ピックアップや半導体レーザのフィード機構を不要とすることができると共に対物レンズの姿勢に無理がかかることを抑制でき、光学ピックアップや半導体レーザを安定に検査できる光学ディスクおよびそれを用いた検査方法と検査装置を提供することにある。
【課題を解決するための手段】
【００１１】
上記課題を解決するため、この発明の光学ディスクは、記録面に形成された同心円トラックと、
上記記録面に形成されていると共にスパイラル状に延在しているスパイラルトラックを備え、
上記スパイラルトラックは、上記同心円トラックの径方向内方に形成されて径方向外方の端が上記同心円トラックに結合しているか、もしくは、上記同心円トラックの径方向外方に形成されて径方向内方の端が上記同心円トラックに結合していることを特徴としている。
【００１２】
この発明の光学ディスクによれば、記録面に同心円トラックと、この同心円トラックに一端が結合しているスパイラルトラックとを備えた。これにより、最初にトラッキングサーボをかける箇所(レーザースポットを照射する箇所)が記録面のスパイラルトラックであっても、光学ディスクを回転させてレーザースポットがトラックをトレースしていくと同心円のトラックにたどり着く。よって、この同心円のトラックで安定して長時間のサーボ特性の検査が可能となる。また、この同心円トラックでは、レーザースポットを径方向に移動させる必要がないので、対物レンズの姿勢を変える必要がなく、対物レンズの姿勢に無理がかかることを抑制できる。また、同心円トラックだけでなくスパイラルトラックを備えたことで、光学ピックアップもしくは半導体レーザのサーボ特性をより詳細に検査可能になる。
【００１３】
また、一実施形態の光学ディスクでは、上記記録面に形成され、かつ、上記同心円トラックの径方向内方に形成されていて、径方向内方から径方向外方へ向かって第１の巻き方向にスパイラル状に延在していると共に径方向外方の端が上記同心円トラックに結合している第１のスパイラルトラックと、
上記記録面に形成され、かつ、上記同心円トラックの径方向外方に形成されていて、径方向内方から径方向外方へ向かって上記第１の巻き方向とは逆の第２の巻き方向にスパイラル状に延在していると共に径方向内方の端が上記同心円トラックに結合している第２のスパイラルトラックとを備えた。
【００１４】
この実施形態の光学ディスクによれば、記録面に同心円トラックと、この同心円トラックの径方向内方に配置されて上記同心円トラックに結合している第１のスパイラルトラック、および、上記同心円トラックの径方向外方に配置されて上記同心円トラックに結合している第２のスパイラルトラックを備えた。これにより、最初にトラッキングサーボをかける箇所が同心円トラックの内側でも外側でも、第１または第２のスパイラルトラックにそってレーザースポットをトレースさせることで同心円トラックにたどり着く。よって、この同心円のトラックで安定して長時間のサーボ特性の検査が可能となる。また、対物レンズの姿勢に無理がかかることを抑制できる。また、同心円トラックの内外両方にスパイラルトラックを備えたことで、光学ピックアップもしくは半導体レーザのサーボ特性をより詳しく検査可能になる。
【００１５】
また、一実施形態の光学ディスクでは、上記スパイラルトラックと上記同心円トラックとの結合領域では、上記スパイラルトラックのピットが形成されていない。
【００１６】
この実施形態の光学ディスクによれば、上記同心円トラックの信号を読み取る際に上記スパイラルトラックが干渉を起こさないので、ノイズ発生を回避できる。
【００１７】
また、一実施形態の光学ディスクでは、複数の同心円トラックを有する。
【００１８】
この実施形態の光学ディスクによれば、上記複数の同心円トラックを有することで、同心円トラックでの安定したサーボ特性の検査を行い易くなる。
【００１９】
また、一実施形態の光学ディスクでは、上記複数の同心円トラックは、互いに異なる固有のピット情報を有している。
【００２０】
この実施形態の光学ディスクによれば、各同心円トラックが固有のピット情報を有しているので、トレースしている同心円トラックを判別でき、トラッキングサーボがかかっている領域を判別できる。
【００２１】
また、一実施形態の光学ディスクでは、上記第１のスパイラルトラックと同心円トラックと第２のスパイラルトラックとがなすトラックの組を複数組備える。
【００２２】
この実施形態の光学ディスクによれば、複数組の第１スパイラルトラック,同心円トラック,第２スパイラルトラックが記録面に形成されているので、スパイラルトラックをトレースしている時間を短くできると共に同心円トラックをトレースしている時間を長くできる。よって、安定したサーボ特性の検査が可能となると共に対物レンズの姿勢に無理がかかることを抑制できる。
【００２３】
また、一実施形態の検査方法は、上記光学ディスクを使用して、上記複数の同心円トラックのうちのトラックサーボがかかっている同心円トラックを判別する。
【００２４】
この実施形態の検査方法によれば、上記光学ディスクは、複数の同心円トラックが互いに異なる固有のピット情報を有しているので、トラックサーボがかかっている同心円トラックを判別できる。
【００２５】
また、一実施形態の検査装置は、上記光学ディスクを用いて、光学ピックアップまたは半導体レーザを検査する。
【００２６】
この実施形態の検査装置によれば、記録面に同心円トラックとこの同心円トラックに結合しているスパイラルトラックとが形成されている光学ディスクを用い、同心円のトラックで安定して長時間のサーボ特性の検査が可能となると共に対物レンズの姿勢に無理がかかることを抑制できる。
【発明の効果】
【００２７】
この発明の光学ディスクによれば、記録面に同心円トラックと、この同心円トラックに一端が結合しているスパイラルトラックとを備えた。これにより、最初にトラッキングサーボをかける箇所が記録面のスパイラルトラックであっても、光学ディスクを回転させてレーザースポットがトラックをトレースしていくと同心円のトラックにたどり着く。よって、この同心円のトラックで安定して長時間のサーボ特性の検査が可能となると共に、対物レンズの姿勢に無理がかかることを抑制できる。
【発明を実施するための最良の形態】
【００２８】
以下、この発明を図示の実施の形態により詳細に説明する。
【００２９】
(第１の実施の形態)
図１に、この発明の第１実施形態の光学ディスク１の記録面２を示す。この光学ディスク１は、記録面２に形成された同心円トラック３と、上記記録面２に形成されていると共にスパイラル状に延在している第１,第２のスパイラルトラック５,６を有している。
【００３０】
上記第１のスパイラルトラック５は、同心円トラック３の径方向内方に形成されていて径方向内方から径方向外方へ順方向にスパイラル状に延在していると共に径方向外方の延在端５Ａが上記同心円トラック３に結合している。また、上記第２のスパイラルトラック６は、同心円トラック３の径方向外方に形成されていて径方向内方から径方向外方へ逆方向にスパイラル状に延在していると共に径方向内方の延在端６Ａが上記同心円トラック３に結合している。
【００３１】
ここで、順方向とは、記録面２に垂直な方向から記録面２を見て内から外に時計回りに径方向内方から径方向外方に延在する巻き方向であり、逆方向とは、反時計回りに径方向内方から径方向外方に延在する巻き方向である。
【００３２】
次に、図５に、上記光学ディスク１を用いて、光学ピックアップを検査する検査装置の駆動部分を模式的に示す。この検査装置は、光学ディスク１を回転させるためのスピンドルモータ１１と、光ピックアップの対物レンズ１２の姿勢を制御する対物レンズ駆動部１３とを有する。この検査装置では、上記スピンドルモータ１１は、上記光学ディスク１を矢印Ｘで示される方向に回転させる。この矢印Ｘで示される回転方向は、光学ディスク１の記録面２に向かって反時計回りである。
【００３３】
そして、上記対物レンズ駆動部１３は、上記光ピックアップの対物レンズ１２から上記光学ディスク１の記録面２に形成されたトラック５,６あるいは３にレーザスポットが照射されるように対物レンズ１２の姿勢を制御する。
【００３４】
上記光学ディスク１は、上述の如く、記録面２に同心円トラック３と、この同心円トラック３の径方向内方に形成されていて径方向内方から径方向外方へ時計回りに延在している第１のスパイラルトラック５と、上記同心円トラック３の径方向外方に形成されていて径方向内方から径方向外方へ反時計回りに延在している第２のスパイラルトラック６とを備えた。
【００３５】
この光学ディスク１によれば、最初にトラッキングサーボをかける箇所(レーザースポットを照射する箇所)が記録面２の第１,第２のスパイラルトラック５,６のいずれであっても、光学ディスク１の記録面２を図１に矢印Ｘで示される反時計回りに回転させてレーザースポットがトラックをトレースして行くと同心円トラック３にたどり着く。よって、この同心円トラック３で安定して長時間のサーボ特性の検査が可能となる。また、この同心円トラック３では、レーザースポットを径方向に移動させる必要がないので、対物レンズ１２の姿勢を変える必要がなく、対物レンズ１２の姿勢に無理がかかることを抑制できる。また、同心円トラック３だけでなくスパイラルトラック５,６を備えたことで、光学ピックアップのサーボ特性をより詳しく検査可能になる。
【００３６】
また、この実施形態では、図３に例示するように、第２のスパイラルトラック６の径方向内方の延在端６Ａと同心円トラック３との結合領域Ｗ１では、上記スパイラルトラック６のピットＰ２が形成されていなく、同心円トラック３のピットＰ１が形成されている。したがって、レーザースポット１７を同心円トラック３のピットＰ１に照射して上記同心円トラック３の信号を読み取る際に、上記スパイラルトラック６が干渉を起こさないので、ノイズ発生を回避できる。なお、図示しないが、第１のスパイラルトラック５の径方向外方の延在端５Ａと同心円トラック３との結合領域でも、上記結合領域Ｗ１と同様に、第１のスパイラルトラック５のピットが形成されていなく、同心円トラック３のピットＰ３が形成されている。
【００３７】
なお、上記第１実施形態の光学ディスク１において、図２に示すように、第１,第２のスパイラルトラック５,６のうちの第２のスパイラルトラック６だけを備えてもよい。また、逆に、上記第１,第２のスパイラルトラック５,６のうちの第１のスパイラルトラック５だけを備えてもよい。
【００３８】
(第２の実施の形態)
次に、図４に、この発明の第２実施形態の光学ディスク３１の記録面３２を示す。この光学ディスク３１は、径方向外方から順に、第１の同心円トラック３３、第２の同心円トラック３５、第３の同心円トラック３６が記録面３２に形成されている。
【００３９】
また、この光学ディスク３１の記録面３２は、第１の同心円トラック３３の径方向内方の領域Ｂに形成されていて、径方向内方から径方向外方へ向かって時計回りにスパイラル状に延在していると共に径方向外方の延在端３８Ａが上記第１の同心円トラック３３に結合している第１の順スパイラルトラック３８を有する。また、この光学ディスク３１の記録面３２は、第１の同心円トラック３３の径方向外方の領域Ａに形成されていて、径方向内方から径方向外方へ向かって反時計回りにスパイラル状に延在していると共に径方向内方の延在端３７Ａが上記第１の同心円トラック３３に結合している第１の逆スパイラルトラック３７を有する。
【００４０】
上記第１の同心円トラック３３,第１の順スパイラルトラック３８および第１の逆スパイラルトラック３７が第１のトラックの組を構成している。
【００４１】
また、上記光学ディスク３１の記録面３２は、第３の同心円トラック３６の径方向内方の領域Ｄに形成されていて、径方向内方から径方向外方へ向かって時計回りにスパイラル状に延在していると共に径方向外方の延在端４１Ａが上記第３の同心円トラック３６に結合している第２の順スパイラルトラック４１を有する。また、この光学ディスク３１の記録面３２は、第３の同心円トラック３６の径方向外方の領域Ｃに形成されていて、径方向内方から径方向外方へ向かって反時計回りにスパイラル状に延在していると共に径方向内方の延在端４０Ａが上記第３の同心円トラック３６に結合している第２の逆スパイラルトラック４０を有する。
【００４２】
上記第３の同心円トラック３６,第２の順スパイラルトラック４１および第２の逆スパイラルトラック４０が第２のトラックの組を構成している。
【００４３】
この第２実施形態の光学ディスク３１によれば、上記第１の同心円トラック３３,第１の順スパイラルトラック３８,第１の逆スパイラルトラック３７が構成する第１のトラックの組と、上記第３の同心円トラック３６,第２の順スパイラルトラック４１,第２の逆スパイラルトラック４０が構成する第２のトラックの組とを備えた。したがって、この光学ディスク３１によれば、スパイラルトラックをトレースしている時間を短くできると共に同心円トラックをトレースしている時間を長くできる。よって、安定したサーボ特性の検査が可能となると共に対物レンズの姿勢に無理がかかることを抑制できる。
【００４４】
また、この第２実施形態では、上記第１,第２,第３の同心円トラック３３,３５,３６は、それぞれ、互いに異なる固有のピット情報を有しているので、トラックサーボがかかっている同心円トラックを判別できる。
【００４５】
ところで、図５に示したような光学ピックアップの検査装置に、光学ピックアップを搭載してトラックサーボをかける際、この光学ピックアップの組み上がりによっては、サーボ位置が数１０〜数１００μｍ程度異なる場合が生じる。ここで、上記第２実施形態の光学ディスク３１を使用することで、複数の同心円トラック３３,３５,３６の半径位置を基に、光学ピックアップのサーボ位置を測定可能であり、トラックサーボの再現性を容易に検査できる。
【００４６】
尚、上記実施形態では、検査対象を光学ピックアップとしたが検査対象を半導体レーザとしてもよい。
【図面の簡単な説明】
【００４７】
【図１】この発明の光学ディスクの第１実施形態の記録面を模式的に示す平面図である。
【図２】上記第１実施形態の変形例の記録面を模式的に示す平面図である。
【図３】上記第１実施形態の同心円トラック３と第２のスパイラルトラック６との結合領域を示す図である。
【図４】この発明の光学ディスクの第２実施形態を示す平面図である。
【図５】光学ピックアップを検査する検査装置の駆動部分を模式的に示す模式図である。
【図６】従来の光学ディスクの記録面を模式的に示す平面図である。
【符号の説明】
【００４８】
１、３１  光学ディスク
２、３２  記録面
３、３３、３５、３６  同心円トラック
５、６、３７、３８、４０、４１  スパイラルトラック
１１  スピンドルモータ
１２  対物レンズ
１３  対物レンズ駆動部
【図１】
2009123313.tif 000003
【図２】
2009123313.tif 000004
【図３】
2009123313.tif 000005
【図４】
2009123313.tif 000006
【図５】
2009123313.tif 000007
【図６】
2009123313.tif 000008